(57)【要約】【課題】簡単な構成でＯＶＦとＥＶＦとを切り換え可能とし、しかもファインダを小型化できるファインダ装置及び撮像装置を提供すること。【解決手段】ＯＶＦとＥＶＦとを切り換え可能なファインダ装置１９は、被写体光を取り込む対物光学系と、対物光学系から導入される被写体光を光出射面から出射する第１のプリズム７９と、第１のプリズムの光出射面に光入射面を対峙させて配置される第２のプリズム８１と、第１のプリズムの光出射面と第２のプリズムの光入射面との間に挿抜自在に配置される画像表示パネル８９と、画像表示パネルを、光路内に挿入した第１の位置及び光路から外れた第２の位置のいずれかの位置に移動させる駆動部とを備える。この画像表示パネルは、第１の位置において、第２のプリズムの光入射面に対峙して電子ビューファインダの表示画像を表示する表示部を備える。【選択図】図２
2014062973.tif 000002
【特許請求の範囲】
【請求項１】
被写体を光学的に観察する光学ファインダと、被写体像の画像情報を表示させた表示画像を観察する電子ビューファインダとが切り換え可能なファインダ装置であって、
被写体光を取り込む対物光学系と、
前記対物光学系から導入される前記被写体光を光出射面から出射する第１のプリズムと、
前記第１のプリズムの光出射面に光入射面を対峙させて配置される第２のプリズムと、
前記第１のプリズムの光出射面と前記第２のプリズムの光入射面との間に挿抜自在に配置される画像表示パネルと、
前記画像表示パネルを、前記第１のプリズムの光出射面と前記第２のプリズムの光入射面との間の光路内に挿入された第１の位置及び前記光路から外れた第２の位置のいずれかの位置に移動させる駆動部と、を備え、
前記画像表示パネルは、前記第１の位置において、前記第２のプリズムの光入射面に対峙して前記電子ビューファインダの表示画像を表示する表示部を備えるファインダ装置。
【請求項２】
請求項１記載のファインダ装置であって、
前記表示部の画像表示面とは反対側に配置され、前記第１のプリズムからの出射光を遮光する遮光部を備えるファインダ装置。
【請求項３】
請求項２記載のファインダ装置であって、
前記画像表示パネルは、前記表示部と前記遮光部とが一体となって前記駆動部により移動されるファインダ装置。
【請求項４】
請求項１乃至請求項３のいずれか一項記載のファインダ装置であって、
前記駆動部は、互いに平行に配置された前記第１のプリズムの光出射面及び前記第２のプリズムの光入射面に対して、前記画像表示パネルを平行に移動させるスライド機構を有するファインダ装置。
【請求項５】
請求項４記載のファインダ装置であって、
前記駆動部は、前記画像表示パネルを前記対物光学系の光軸方向に対して垂直に移動させるファインダ装置。
【請求項６】
請求項１乃至請求項５のいずれか一項記載のファインダ装置であって、
前記駆動部は、前記画像表示部を前記第１の位置で固定する固定機構を有するファインダ装置。
【請求項７】
請求項１乃至請求項６のいずれか一項記載のファインダ装置であって、
前記第１のプリズムと前記第２のプリズムは、双方を組み合わせることで正立像が得られる正立プリズムとして機能するファインダ装置。
【請求項８】
請求項１乃至請求項７のいずれか一項記載のファインダ装置であって、
前記表示部は、液晶表示素子を有して構成されるファインダ装置。
【請求項９】
撮像レンズと、
前記撮像レンズにより結像される光学像を撮像する撮像素子と、
前記撮像素子から出力される画像情報を前記表示部に表示する請求項１乃至請求項８のいずれか一項記載のファインダ装置と、
を備える撮像装置。
【請求項１０】
請求項９記載の撮像装置であって、
前記駆動部は、画像表示パネルを前記第１の位置から前記第２の位置へ前記撮像装置の筐体底面に向けて移動させる撮像装置。
【発明の詳細な説明】
【技術分野】
【０００１】
本発明は、ファインダ装置及び撮像装置に関する。
【背景技術】
【０００２】
デジタルスチルカメラやデジタルビデオカメラ等のカメラのファインダ装置として、被写体の光学像を観察する光学ビューファインダ（ＯＶＦ：Optical View Finder）、被写体を撮像して得られた撮像画像を液晶ディスプレイに表示して、これを観察する電子ビューファインダ（ＥＶＦ：Electric View Finder）がある。これらＯＶＦとＥＶＦとを兼ね備えた、所謂ハイブリッド型のファインダ装置が知られている。
【０００３】
ハイブリッド型のファインダ装置においては、ＯＶＦとＥＶＦとが切り換えられ、いずれか一方からの像が選択的に観察される。図１２にハイブリッド型のファインダ装置における光学系を示す。この構成のビューファインダにおいては、ハーフミラー２０１に導入されるＯＶＦの光路２０３と、同じくハーフミラー２０１に導入されるＥＶＦの光路２０５とを備える。ＯＶＦの光路２０３には、シャッタ２０７、対物レンズ２０９が配置され、ＥＶＦの光路２０５には、液晶表示部２１１、液晶表示部２１１に焦点を合わせるためのターゲットレンズ２１３が配置される。そして、ハーフミラー２０１の光出射側の光路には接眼レンズ２１５が配置される。
【０００４】
上記構成のファインダ装置においては、例えば撮影画角を正確に確認したい場合はＯＶＦに切り換え、繊細な被写体像を確認する場合はＥＶＦに切り換えることで、ＯＶＦとＥＶＦの欠点を補っている。また、特許文献１、２に示されるビューファインダは、ＯＶＦの対物レンズと接眼レンズとの間の光路途中に、ＥＶＦとなる液晶表示部を光路に対して進退自在に配置した構成となっている。
【先行技術文献】
【特許文献】
【０００５】
【特許文献１】特開平１１−１４６２３５号公報
【特許文献２】特開２０１０−２６３５３８号公報
【発明の概要】
【発明が解決しようとする課題】
【０００６】
図１２に示すビューファインダは、キューブ型のハーフミラー２０１によりＯＶＦとＥＶＦとを切り換えて表示する構成であるため、ハーフミラー２０１自体の容積が大きく、ビューファインダを搭載するカメラ本体の小型化を妨げる。また、ハーフミラー２０１で表示を切り換える構成のため、比較的暗いファインダとなってしまう。
【０００７】
一方、特許文献１，２のビューファインダは、ハーフミラーを用いることなくＯＶＦとＥＶＦとを切り換え可能としている。しかし、ＯＶＦとＥＶＦの切り換えの際、光学部品と液晶表示部とを一体に移動させるため、可動部の重量が増えて切り換え応答性が低下する不利がある。また、可動部の部品点数が多いため、切り換えのための機構が複雑となり、小型化に不利な構成となる。
【０００８】
本発明は、簡単な構成でＯＶＦとＥＶＦとを切り換え可能とし、しかもファインダを小型化できるファインダ装置及び撮像装置を提供することを目的とする。
【課題を解決するための手段】
【０００９】
本発明は下記構成からなる。
（１）  被写体を光学的に観察する光学ファインダと、被写体像の画像情報を表示させた表示画像を観察する電子ビューファインダとが切り換え可能なファインダ装置であって、
被写体光を取り込む対物光学系と、
上記対物光学系から導入される上記被写体光を光出射面から出射する第１のプリズムと、
上記第１のプリズムの光出射面に光入射面を対峙させて配置される第２のプリズムと、
上記第１のプリズムの光出射面と上記第２のプリズムの光入射面との間に挿抜自在に配置される画像表示パネルと、
上記画像表示パネルを、上記第１のプリズムの光出射面と上記第２のプリズムの光入射面との間の光路内に挿入された第１の位置及び上記光路から外れた第２の位置のいずれかの位置に移動させる駆動部と、を備え、
上記画像表示パネルは、上記第１の位置において、上記第２のプリズムの光入射面に対峙して上記電子ビューファインダの表示画像を表示する表示部を備えるファインダ装置。
（２）  撮像レンズと、
上記撮像レンズにより結像される光学像を撮像する撮像素子と、
上記撮像素子から出力される画像情報を上記表示部に表示する上記（１）のファインダ装置と、
を備える撮像装置。
【発明の効果】
【００１０】
本発明によれば、簡単な構成でＯＶＦとＥＶＦとの切り換えが可能となり、ファインダを小型化できる。これにより、撮像装置の更なるコンパクト化が図れる。
【図面の簡単な説明】
【００１１】
【図１】本発明の実施形態を説明するための図で、撮像装置としてのデジタルカメラの概略的な外観斜視図である。
【図２】図１に示すデジタルカメラの内部ブロック構成図である。
【図３】ファインダ装置の概略的な要部構成を示す斜視図である。
【図４】画像表示部の層構成を示す断面図である。
【図５】ファインダ切換機構の要部を示す斜視図である。
【図６】（Ａ）はファインダ切換機構がファインダ装置をＯＶＦとして機能させる状態を示す概略的な配置図、（Ｂ）はファインダ装置のＥＶＦとして機能させる状態を示す概略的な配置図である。
【図７】アーム部材とプランジャーストッパの構造を示す説明図である。
【図８】デジタルカメラのファインダ装置の要部を示す上面図である。
【図９】画像表示部の他の構成例における層構成を示す断面図である。
【図１０】ファインダ装置を備えたスマートフォンを示す外観図である。
【図１１】図１０に示すスマートフォンの構成を示す機能ブロック図である。
【図１２】従来のハイブリッド型のファインダ装置における光学系を示す構成図である。
【発明を実施するための形態】
【００１２】
以下、本発明の実施形態について、図面を参照して詳細に説明する。
図１は本発明の実施形態を説明するための図で、撮像装置としてのデジタルカメラの概略的な外観斜視図である。デジタルカメラ１００は、矩形状の筐体１１と、筐体１１の正面中央に設けられた沈胴式のレンズ鏡筒１３とを備える。レンズ鏡筒１３内には撮影レンズ（焦点位置合わせレンズやズームレンズ等）１５が収納されている。
【００１３】
筐体１１の上面の片側にはシャッタレリーズボタン１７が設けられ、シャッタレリーズボタン１７とは反対側の角の筐体１１内には、詳細は後述するハイブリッド形式のファインダ装置１９が設けられている。ファインダ装置１９の被写体側ファインダ窓２１が筐体１１正面の角部に設けられ、筐体１１の被写体側ファインダ窓２１の背面側に、撮影者側覗き窓２３が設けられている。また、筐体１１の正面側には、後述するファインダ切り換え操作部２５が設けられている。
【００１４】
図２は、図１に示すデジタルカメラ１００の内部ブロック構成図である。デジタルカメラ１００は、単板式カラー画像撮像用の固体撮像素子３１と、固体撮像素子３１の前段に置かれた撮影レンズ１５（ズームレンズを１５ａ、フォーカス用レンズを１５ｂとする）と、絞り（アイリス）３３と、固体撮像素子３１の出力信号（撮像画像信号）をアナログ信号処理するＣＤＳＡＭＰ（相関二重サンプリング（ＣＤＳ），利得制御増幅器（ＡＭＰ））３５と、ＣＤＳＡＭＰ３５の出力信号をデジタル信号に変換するアナログデジタル（Ａ／Ｄ）変換器３７とを備える。なお、固体撮像素子３１は、本構成例においてはＣＣＤ型であるが、ＣＭＯＳ型等、他の方式の固体撮像素子であっても良い。
【００１５】
デジタルカメラ１００は、更に、Ａ／Ｄ変換器３７から出力されるデジタル信号でなる撮像画像信号を取り込む画像入力コントローラ４１と、このデジタルカメラ１００の全体を統括制御する演算処理装置（ＣＰＵ）４３と、撮像画像信号を画像処理する画像信号処理回路４５と、固体撮像素子３１から出力される画像データから焦点位置を検出するＡＦ検出回路４７と、露出量，ホワイトバランスを自動検出するＡＥ＆ＡＷＢ検出回路４９と、を備える。また、デジタルカメラ１００は、ワークメモリとして使用する記憶手段としてのＳＤＲＡＭ５１と、画像処理後の撮像画像データをＪＰＥＧ画像やＭＰＥＧ画像に圧縮する圧縮処理回路５３と、カメラ背面等に設けられた表示部５５やファインダ装置１９内の画像表示部（ＥＶＦ）５７に撮像画像やスルー画像，後述の各種情報を表示するビデオエンコーダ５９と、記録メディア６１に撮像画像データを保存するメディアコントローラ６３と、これらを相互接続するバス６５とを備える。
【００１６】
更に、このデジタルカメラ１００は、ズームレンズ１５ａの駆動モータに駆動パルスを供給するモータドライバ６７と、フォーカスレンズ１５ｂの位置を駆動するモータに駆動パルスを供給するモータドライバ６９と、絞り３３の絞り位置制御を行う駆動モータに駆動パルスを供給するモータドライバ７１と、固体撮像素子３１に駆動タイミングパルス（電子シャッタパルス，読み出しパルス，転送パルス等）を供給するタイミングジェネレータ７３とを備える。これらは、ＣＰＵ４３からの指令に基づいて動作する。また、ＣＤＳＡＭＰ３５もＣＰＵ４３からの指令に基づいて動作する。
【００１７】
ファインダ装置１９は、被写体側ファインダ窓２１と撮影者側覗き窓２３との間に、対物レンズ７７と、補助プリズム（第１のプリズム）７９及びダハプリズム（第２のプリズム）８１を有するペシャンプリズム８３と、ＯＶＦシャッタを含む画像表示部（ＥＶＦ）５７と、ＣＰＵ４３の指示で動作するファインダ切換機構８５と、接眼レンズ８７とが収納されている。ファインダ切換機構８５は、ファインダ装置１９内の後述するＯＶＦ／ＥＶＦを切り換える。
【００１８】
ペシャンプリズム８３は、補助プリズム７９とダハプリズム８１とを組み合わせて正立像を得るための正立プリズムである。
【００１９】
図３はファインダ装置１９の概略的な要部構成を示す斜視図である。ファインダ装置１９は、被写体側ファインダ窓２１、視野マスク７５、対物レンズ７７、ダハプリズム８３がこの順に配置される。
【００２０】
ダハプリズム８１は、三角柱の一側面からダハ面８１ａ，８１ｂが外側へ突出し、かつダハ面８１ａ，８１ｂが交差する稜線８１ｃが三角柱の底面と平行となるよう形成されたものと等価な形状を有する。補助プリズム７９は、四角柱状の形状を呈し、その一側面７９ａがダハプリズム８１のダハ面８１ａ，８１ｂ以外の一側面８１ｄに対して平行に近接するよう配設される。
【００２１】
つまり、補助プリズム７９は、対物光学系から導入される被写体光を取り込み、前述の一側面である光出射面７９ａから被写体光を出射する。
【００２２】
互いに平行に対峙して配置される補助プリズム７９の光出射面７９ａと、ダハプリズム８１の前述の一側面である光入射面８１ｄとの間には、画像表示パネル８９が挿抜自在に配置される。
【００２３】
この画像表示パネル８９は、図２に示す駆動部としてのファインダ切換機構８５によって、補助プリズム７９の光出射面７９ａとダハプリズム８１の光入射面８１ｄとの間の光路内に挿入された第１の位置と、光路から外れた第２の位置とのいずれかの位置に移動される。
【００２４】
画像表示パネル８９に固定される画像表示部５７は、図４に断面図を示すように、図示しないバックライトを備える液晶表示素子９１と、液晶表示素子９１の画像表示側とは反対の背面側に設けた遮光部９３とを有する。液晶表示素子９１に接続されるバックライトは、エッジライト方式、直下型方式のいずれであってもよい。なお、液晶表示素子９１に代えて、有機ＥＬ等の他の表示デバイスを用いることもできる。
【００２５】
遮光部９３は、液晶表示素子９１の背面全体を覆って配置され、画像表示パネル８９がファインダ装置１９の光路内に挿入される第１の位置において、対物レンズ７７を通じて導入される被写体光を遮断する。これにより、画像表示パネル８９が第１の位置に配置された場合、接眼レンズ８７に画像表示パネル８９の画像表示部５７からの出力光のみを供給する。この場合、ファインダ装置１９はＥＶＦとして機能する。
【００２６】
また、画像表示パネル８９が第２の位置に配置された場合、対物レンズ７７を通じて導入される被写体光は、接眼レンズ８７に供給される。これにより、ファインダ装置１９はＯＶＦとして機能する。
【００２７】
次に、上記ファインダ装置１９のファインダ切換機構８５の具体的な構成について説明する。
図５はファインダ切換機構８５の要部を示す斜視図である。本構成のファインダ切換機構８５は、四角形平板形状の画像表示部５７に対して、その上辺を除く３辺（下辺、及び両脇の側辺）を支持するパネル枠部９５と、パネル枠部９５をガイドするガイド軸９７，９７と、パネル枠部９５をガイド軸９７，９７に沿って移動させるアーム部材９９，９９を備える。
【００２８】
パネル枠部９５は、側辺部９５ａ，９５ａの各中間高さ位置から、側辺部９５ａ，９５ｂの長手方向に直交する側方に向けて突設された支持部１１１，１１１を有する。各支持部１１１，１１１には挿通孔１１３がそれぞれ形成され、各ガイド軸９７，９７がそれぞれ挿通孔１１３，１１３に挿通されている。また、支持部１１１，１１１には、アーム部材９９からの駆動力を受けてガイド軸９７に沿って移動するためのカム軸１１５がそれぞれ設けてある。
【００２９】
ガイド軸９７は、ファインダ装置１９の各光学系を収容するユニットブロック１１７に固定されており、デジタルカメラ１００を水平に載置したときの鉛直方向に延設されている。即ち、画像表示パネル８９の移動方向は、デジタルカメラ１００の高さ方向となり、デジタルカメラ１００の筐体底面に向けての移動、及びその反対方向への移動となる。
【００３０】
アーム部材９９は、Ｌ字型に形成され、一端部９９ａがユニットブロック１１７に、回転抵抗の少ない段付ネジ１１９により軸支されている。アーム部材９９の他端部９９ｂには、棒状のレバー１２１が取り付けられている。このレバー１２１は、図１に示すファインダ切り換え操作部２５に接続されており、ファインダ切り換え操作部２５からの操作に応じてレバー１２１が従動する。また、アーム部材９９の屈曲部９９ｃには長孔１２３が形成されており、パネル枠部９５のカム軸１１５がこの長孔１２３に挿入される。
【００３１】
これにより、画像表示パネル８９は、カム軸１１５がアーム部材９９の長孔１２３に挿入され、挿通孔１１３にガイド軸９７が挿通されることで、アーム部材９９の回転変位によってガイド軸９７に沿った平行移動が可能になる。
【００３２】
また、ユニットブロック１１７には、アーム部材９９の固定機構となるプランジャーストッパ１２５が固定されている。プランジャーストッパ１２５は、その長手軸方向に弾性付勢されるボールが先端部に設けられ、この先端部をアーム部材９９に向けて配置されている。
【００３３】
次に、上記構成のファインダ切換機構８５によるＯＶＦ／ＥＶＦの切換動作について説明する。
図６（Ａ）はファインダ切換機構がファインダ装置１９をＯＶＦとして機能させる状態を示す概略的な配置図、（Ｂ）はファインダ装置１９のＥＶＦとして機能させる状態を示す概略的な配置図を示す。なお、図中、ユニットブロック１１７については図示を省略している。
【００３４】
図６（Ａ）に示すように、ファインダ切換機構８５の画像表示パネル８９が、互いに平行に配置された補助プリズム７９の光出射面と、ダハプリズム８１の光入射面との間の光路から外れた位置にあるときは、補助プリズム７９から出射される被写体光がそのままダハプリズム８１に導入される。そして、ダハプリズム８１から出射される被写体光は、図１に示す撮影者側覗き窓２３に出力されてファインダ装置１９がＯＶＦとして機能する。
【００３５】
図６（Ａ）の状態から、図１に示すファインダ切り換え操作部２５への手動による動作、又は不図示のモータ等のアクチュエータによる動作により、レバー１２１を図中上方に持ち上げた状態にすると、一対のアーム部材９９，９９が段付ネジ１１９を回転中心として回動する。すると、パネル枠部９５のカム軸１１５がアーム部材９９の長孔１２３内を移動しながら、画像表示パネル８９がガイド軸９７に沿って上方へ平行移動する。
【００３６】
このとき、画像表示パネル８９は、その上辺がパネル枠部９５の存在しない辺となっており、補助プリズム７９とダハプリズム８１との間の隙間に挿入される際、双方のプリズム面の光学機能領域がパネル枠部９５に当接して傷付くことがない。
【００３７】
また、画像表示パネル８９が補助プリズム７９とダハプリズム８１との間の隙間に挿入された際、双方のプリズム面における光学機能領域の外側に、パネル枠部９５の側辺部９５ａが摺接することにより、画像表示パネル８９が、補助プリズム７９の光出射面７９ａとダハプリズム８１の光入射面８１ｄに対して平行に維持される。これにより、画像表示部５７からの表示情報が画像全面にわたって歪みなく観察できる。
【００３８】
つまり、画像表示パネル８９の挿入位置は被写体光の焦点位置となるため、画像表示パネル８９は高精度に位置決めする必要がある。本構成の場合、各プリズムの光出射面７９ａと光入射面８１ｄとに画像表示パネル８９が狭持されることで、簡単な機構で精度よく位置決めが行える。
【００３９】
更に、画像表示パネル８９が、補助プリズム７９の光出射面とダハプリズム８１の光入射面との間の光路内に挿入される際、プランジャーストッパ１２５はアーム部材９９を規定の回転位置で停止させる。プランジャーストッパ１２５は、図７に示すように、先端部に配置される球体１２７と、球体１２７の後方に配置されるバネ１２９とを備える。球体１２７は、プランジャーストッパ１２５内に圧縮付勢されて収容されたバネ１２９により外側に向けて押圧され、プランジャーストッパ１２５の先端部で、距離ｄの出没を自在に支持されている。
【００４０】
プランジャーストッパ１２５は、アーム部材９９の側面に形成された凹部１３１に球体１２７が嵌ることで、前述したアーム部材９９の段付ネジ１１９の回転軸Ａを中心とする規定の回転位置で、アーム部材９９をロックする。
【００４１】
このプランジャーストッパ１２５は、図５に示すように、ユニットブロック１１７に支持されている。プランジャーストッパ１２５は、アーム部材９９が図６（Ａ）に示す回転位置から、図６（Ｂ）に示す回転位置に移動したときに、球体１２７がアーム部材９９の凹部１３１に嵌り、双方の相対位置がロックされる。なお、球体１２７と凹部１３１とはバネ１２９による弾性的な係合であるため、アーム部材９９のレバー１２１は、クリック感を伴って係合／係合解除がなされる。
【００４２】
このため、本構成によれば、画像表示パネル８９を、補助プリズム７９の光出射面とダハプリズム８１の光入射面との間の光路内に挿入した状態と、光路から外した状態との切り換えが確実となり、画像表示パネル８９を光路内に挿入させる場合に、画像表示パネル８９が光路から不意に外れることがなくなる。
【００４３】
また、アーム部材９９は、段付ネジ１１９によって支持されるため、アーム部材９９の支持部位に対する嵌め合い精度が高められ、一対のアーム部材９９，９９を、ガタつきなく円滑に回転駆動できる。
【００４４】
図８はデジタルカメラ１００のファインダ装置１９の要部を示す上面図である。ファインダ装置１９は、補助プリズム７９の一側面である光出射面７９ａと、ダハプリズム８１の一側面である光入射面８１ｄの面方向Ｍが、対物光学系の光軸となる被写体からの入射光軸Ｌ（撮影者覗き窓２３の光軸Ｌａに平行な光軸）に対して角度φで傾斜している。
【００４５】
このため、画像表示パネル８９は、その移動方向を面方向Ｍに沿った方向にすると、筐体１１の厚みを増大させることになるが、本構成のように移動方向を上下方向、即ち、図８の紙面垂直方向にすると、筐体１１の厚みをそのままに維持できる。よって、ファインダ装置１９の光学系を小型化でき、また、ハーフミラーを用いない構成であるために、光利用効率が向上し、明るいファインダにすることでき、更に光路を複数設ける必要がないので部品点数を削減できる。これにより、デジタルカメラ１００をコンパクトで使い勝手の良い構成にできる。なお、角度φは、３５度以上、５５度以下とする場合に上記効果が顕著となる。
【００４６】
次に、ファインダ装置の他の構成例について説明する。
画像表示部５７は、上記した液晶表示素子９１と遮光部９３を備える構成の他、図９に示すように、液晶表示素子９１と遮光用光学素子１３３を組み合わせた構成としてもよい。この画像表示部５７Ａの遮光用光学素子１３３は、ＣＰＵ４３（図２参照）からの指令により、光の透過と遮光が選択的に行える、例えば液晶光学素子、微小電気機械システム（ＭＥＭＳ）等を用いた光学素子である。
【００４７】
この構成例の場合、ＣＰＵ４３は、ＯＶＦ時に遮光用光学素子１３３に光透過信号を出力して、遮光用光学素子１３３を光透過状態にし、ＥＶＦ時に遮光用光学素子１３３に遮光信号を出力して、遮光用光学素子１３３を遮光状態にする。
【００４８】
遮光用光学素子１３３を光透過状態、遮光状態に切り換えることで、ＯＶＦ時には被写体光が遮光用光学素子１３３，及び液晶表示素子９１を透過して、接眼レンズ側に導光される。また、ＥＶＦ時には被写体光が遮光用光学素子１３３により遮光され、液晶表示素子９１からの出力画像情報が接眼レンズ側に導光される。
【００４９】
このように、液晶表示素子９１と遮光部９３（遮光用光学素子１３３）が一体となって移動することで、簡単な機構でＯＶＦとＥＶＦとを切換できる。
【００５０】
更に、画像表示パネル８９は、画像表示部５７を液晶表示素子９１単層とすることもできる。その場合は、図２に示す対物レンズ７７と補助プリズム７９との間の光路途中に、ＣＰＵ４３からの指令により光の透過と遮光が選択的に行える光シャッタを設ければよい。この場合、画像表示パネル８９が軽量化されることで、ＯＶＦとＥＶＦの切換動作の応答性が向上する。
【００５１】
以上、撮影装置の一例としてデジタルカメラを説明してきたが、撮像装置の構成はこれに限定されない。その他の撮像装置としては、例えば、ＰＣ（Personal Computer）内蔵型又は外付け型のＰＣ用カメラ、或いは、以下に説明するような、撮影機能を有する携帯端末装置を挙げることができる。
【００５２】
撮像装置の一例である携帯端末装置としては、例えば、携帯電話機やスマートフォン、ＰＤＡ(Personal Digital Assistants)、携帯型ゲーム機が挙げられる。以下、スマートフォンを例に挙げ、図面を参照しつつ、詳細に説明する。
【００５３】
図１０はファインダ装置を備えたスマートフォン３００を示す外観図である。スマートフォン３００は、平板状の筐体３０１を有し、筐体３０１の一方の面に表示部としての表示パネル３０２と、入力部としての操作パネル３０３とが一体となった表示入力部３０４を備えている。また、筐体３０１は、スピーカ３０５と、マイクロホン３０６、操作部３０７と、カメラ部３０８とを備えている。なお、筐体３０１の筐体底面は、図中、操作部３０７の配置される面とする。
【００５４】
スマートフォン３００のカメラ部３０８に搭載される撮影レンズとしては、図示例では自分撮り用（テレビ電話用）の撮影レンズを示しているが、主カメラの撮影レンズが、スマートフォン３００の背面側（図中下面側）に設けられている。この主カメラで被写体を撮影する場合、表示パネル３０２に被写体画像を表示させて被写体構図を確認してもよいが、図１〜図９で説明したファインダ装置１９をスマートフォン３００の筐体３０１内に設け、前述の撮影者側覗き窓２３を通して被写体の構図を確認可能にしてもよい。本構成のファインダ装置１９は薄型に形成できるため、携帯端末装置にも容易に搭載可能である。なお、ファインダ装置１９の機能は上述した通りであり、ここではその説明を省略する。
【００５５】
また、筐体３０１の構成はこれに限定されず、例えば、表示部と入力部とが独立した構成を採用したり、筐体が折り畳み機構やスライド機構を有する構成を採用することもできる。
【００５６】
図１１は図１０に示すスマートフォン３００の構成を示す機能ブロック図である。スマートフォン３００は、その主たる構成要素として、無線通信部３１０と、表示入力部３０４と、通話部３１１と、操作部３０７と、カメラ部３０８と、記憶部３１２と、外部入出力部３１３と、ＧＰＳ(Global Positioning System)受信部３１４と、モーションセンサ部３１５と、電源部３１６と、主制御部３２０と、ＥＶＦ用の画像表示部５７とを備える。また、スマートフォン３００の主たる機能として、図示省略の基地局装置と移動通信網とを介した移動無線通信を行う無線通信機能を備える。
【００５７】
無線通信部３１０は、主制御部３２０の指示にしたがって、移動通信網に収容された基地局装置に対し無線通信を行うものである。この無線通信を使用して、音声データ、画像データ等の各種ファイルデータ、電子メールデータ等の送受信や、Ｗｅｂデータやストリーミングデータ等の受信を行う。
【００５８】
表示入力部３０４は、主制御部３２０の制御により、画像（静止画像および動画像）や文字情報等を表示して視覚的にユーザに情報を伝達し、表示した情報に対するユーザ操作を検出する、いわゆるタッチパネルであって、表示パネル３０２と、操作パネル３０３とを備える。
【００５９】
表示パネル３０２は、ＬＣＤ(Liquid Crystal Display)、ＯＥＬＤ(Organic Electro-Luminescence Display)等を表示デバイスとして用いたものである。操作パネル３０３は、表示パネル３０２の表示面上に表示される画像を視認可能に載置され、ユーザの指や尖筆によって操作される一又は複数の座標を検出するデバイスである。このデバイスをユーザの指や尖筆によって操作すると、操作に起因して発生する検出信号を主制御部３２０に出力する。次いで、主制御部３２０は、受信した検出信号に基づいて、表示パネル３０２上の操作位置（座標）を検出する。
【００６０】
図１０に示すように、撮影装置として例示しているスマートフォン３００の表示パネル３０２と操作パネル３０３とは、一体となって表示入力部３０４を構成し、操作パネル３０３が表示パネル３０２を完全に覆うような配置となっている。この配置形態の場合、操作パネル３０３は、表示パネル３０２外の領域についても、ユーザ操作を検出する機能を備えていてもよい。換言すると、操作パネル３０３は、表示パネル３０２との重畳部分についての検出領域（以下、表示領域と称する）と、それ以外の表示パネル３０２に重ならない外縁部分についての検出領域（以下、非表示領域と称する）とを備えていてもよい。
【００６１】
なお、表示領域の大きさと表示パネル３０２の大きさとを完全に一致させても良いが、両者を必ずしも一致させる必要はない。また、操作パネル３０３が、外縁部分と、外縁部分以外の内側部分の２つの感応領域を備えていてもよい。更に、外縁部分の幅は、筐体３０１の大きさ等に応じて適宜設計されるものである。更にまた、操作パネル３０３で採用される位置検出方式としては、マトリクススイッチ方式、抵抗膜方式、表面弾性波方式、赤外線方式、電磁誘導方式、静電容量方式等が挙げられ、いずれの方式を採用することもできる。
【００６２】
通話部３１１は、スピーカ３０５やマイクロホン３０６を備え、マイクロホン３０６を通じて入力されたユーザの音声を主制御部３２０にて処理可能な音声データに変換して主制御部３２０に出力したり、無線通信部３１０或いは外部入出力部３１３により受信された音声データを復号してスピーカ３０５から出力したりするものである。また、図１０に示すように、例えば、スピーカ３０５を表示入力部３０４が設けられた面と同じ面に搭載し、マイクロホン３０６を筐体３０１の側面に搭載することができる。
【００６３】
操作部３０７は、キースイッチ等を用いたハードウェアキーであって、ユーザからの指示を受け付けるものである。例えば、図１０に示すように、操作部３０７は、スマートフォン３００の筐体３０１の側面に搭載され、指等で押下されるとオンとなり、指を離すとバネ等の復元力によってオフ状態となる押しボタン式のスイッチである。
【００６４】
記憶部３１２は、主制御部３２０の制御プログラムや制御データ、アプリケーションソフトウェア、通信相手の名称や電話番号等を対応づけたアドレスデータ、送受信した電子メールのデータ、ＷｅｂブラウジングによりダウンロードしたＷｅｂデータや、ダウンロードしたコンテンツデータを記憶し、またストリーミングデータ等を一時的に記憶するものである。また、記憶部３１２は、スマートフォン内蔵の内部記憶部３１７と着脱自在な外部メモリスロットを有する外部記憶部３１８により構成される。なお、記憶部３１２を構成するそれぞれの内部記憶部３１７と外部記憶部３１８は、フラッシュメモリタイプ（flash memory type）、ハードディスクタイプ（hard disk type）、マルチメディアカードマイクロタイプ（multimedia card micro type）、カードタイプのメモリ（例えば、ＭｉｃｒｏＳＤ（登録商標）メモリ等）、ＲＡＭ（Random Access Memory）、ＲＯＭ（Read Only Memory）等の格納媒体を用いて実現される。
【００６５】
外部入出力部３１３は、スマートフォン３００に連結される全ての外部機器とのインターフェースの役割を果たすものであり、他の外部機器に通信等（例えば、ユニバーサルシリアルバス（ＵＳＢ）、ＩＥＥＥ１３９４等）又はネットワーク（例えば、インターネット、無線ＬＡＮ、ブルートゥース（Bluetooth）（登録商標）、ＲＦＩＤ（Radio Frequency Identification）、赤外線通信（Infrared Data Association：ＩｒＤＡ（登録商標））、ＵＷＢ（Ultra Wideband）（登録商標）、ジグビー（ZigBee）（登録商標）等）により直接的又は間接的に接続するためのものである。
【００６６】
スマートフォン３００に連結される外部機器としては、例えば、有／無線ヘッドセット、有／無線外部充電器、有／無線データポート、カードソケットを介して接続されるメモリカード（Memory card）やＳＩＭ(Subscriber Identity Module Card)／ＵＩＭ(User Identity Module Card)カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続されるＰＤＡ、有／無線接続されるパーソナルコンピュータ、イヤホン等がある。外部入出力部３１３は、このような外部機器から伝送を受けたデータをスマートフォン３００の内部の各構成要素に伝達することや、スマートフォン３００の内部のデータが外部機器に伝送されるようにすることができる。
【００６７】
ＧＰＳ受信部３１４は、主制御部３２０の指示にしたがって、ＧＰＳ衛星ＳＴ１、ＳＴ２、・・・ＳＴｎから送信されるＧＰＳ信号を受信し、受信した複数のＧＰＳ信号に基づく測位演算処理を実行し、そのスマートフォン３００の緯度、経度、高度からなる位置を検出する。ＧＰＳ受信部３１４は、無線通信部３１０や外部入出力部３１３（例えば、無線ＬＡＮ）から位置情報を取得できるときには、その位置情報を用いて位置を検出することもできる。
【００６８】
モーションセンサ部３１５は、例えば、３軸の加速度センサ等を備え、主制御部３２０の指示にしたがって、スマートフォン３００の物理的な動きを検出する。スマートフォン３００の物理的な動きを検出することにより、スマートフォン３００の動く方向や加速度が検出される。この検出結果は、主制御部３２０に出力されるものである。
【００６９】
電源部３１６は、主制御部３２０の指示にしたがって、スマートフォン３００の各部に、バッテリ（図示しない）に蓄えられる電力を供給するものである。
【００７０】
主制御部３２０は、マイクロプロセッサを備え、記憶部３１２が記憶する制御プログラムや制御データにしたがって動作し、スマートフォン３００の各部を統括して制御するものである。また、主制御部３２０は、無線通信部３１０を通じて、音声通信やデータ通信を行うために、通信系の各部を制御する移動通信制御機能と、アプリケーション処理機能を備える。
【００７１】
アプリケーション処理機能は、記憶部３１２が記憶するアプリケーションソフトウェアにしたがって主制御部３２０が動作することにより実現するものである。アプリケーション処理機能としては、例えば、外部入出力部３１３を制御して対向機器とデータ通信を行う赤外線通信機能や、電子メールの送受信を行う電子メール機能、Ｗｅｂページを閲覧するＷｅｂブラウジング機能等がある。
【００７２】
また、主制御部３２０は、受信データやダウンロードしたストリーミングデータ等の画像データ（静止画像や動画像のデータ）に基づいて、映像を表示入力部３０４に表示する等の画像処理機能を備える。画像処理機能とは、主制御部３２０が、上記画像データを復号し、この復号結果に画像処理を施して、画像を表示入力部３０４に表示する機能のことをいう。
【００７３】
更に、主制御部３２０は、表示パネル３０２に対する表示制御と、操作部３０７、操作パネル３０３を通じたユーザ操作を検出する操作検出制御を実行する。表示制御の実行により、主制御部３２０は、アプリケーションソフトウェアを起動するためのアイコンや、スクロールバー等のソフトウェアキーを表示する。或いは電子メールを作成するためのウィンドウを表示する。なお、スクロールバーとは、表示パネル３０２の表示領域に収まりきれない大きな画像等について、画像の表示部分を移動する指示を受け付けるためのソフトウェアキーのことをいう。
【００７４】
また、操作検出制御の実行により、主制御部３２０は、操作部３０７を通じたユーザ操作を検出したり、操作パネル３０３を通じて、上記アイコンに対する操作や、上記ウィンドウの入力欄に対する文字列の入力を受け付けたり、或いは、スクロールバーを通じた表示画像のスクロール要求を受け付ける。
【００７５】
更に、操作検出制御の実行により主制御部３２０は、操作パネル３０３に対する操作位置が、表示パネル３０２との重畳部分（表示領域）か、それ以外の表示パネル３０２に重ならない外縁部分（非表示領域）かを判定し、操作パネル３０３の感応領域や、ソフトウェアキーの表示位置を制御するタッチパネル制御機能を備える。
【００７６】
また、主制御部３２０は、操作パネル３０３に対するジェスチャ操作を検出し、検出したジェスチャ操作に応じて、予め設定された機能を実行することもできる。ジェスチャ操作とは、従来の単純なタッチ操作ではなく、指等によって軌跡を描いたり、複数の位置を同時に指定したり、或いはこれらを組み合わせて、複数の位置から少なくとも１つについて軌跡を描く操作を意味する。
【００７７】
カメラ部３０８は、ＣＭＯＳイメージセンサやＣＣＤイメージセンサ等の撮像素子を用いて電子撮影するデジタルカメラである。また、カメラ部３０８は、主制御部３２０の制御により、撮像によって得た画像データを例えばＪＰＥＧ(Joint Photographic coding Experts Group)等の圧縮した画像データに変換し、記憶部３１２に記録したり、外部入出力部３１３や無線通信部３１０を通じて出力したりすることができる。
【００７８】
また、カメラ部３０８はスマートフォン３００の各種機能に利用することができる。例えば、表示パネル３０２にカメラ部３０８で取得した画像を表示することや、操作パネル３０３の操作入力の一つとして、カメラ部３０８の画像を利用することができる。また、ＧＰＳ受信部３１４が位置を検出する際に、カメラ部３０８からの画像を参照して位置を検出することもできる。更には、カメラ部３０８からの画像を参照して、３軸の加速度センサを用いずに、或いは、３軸の加速度センサと併用して、スマートフォン３００のカメラ部３０８の光軸方向を判断することや、現在の使用環境を判断することもできる。勿論、カメラ部３０８からの画像をアプリケーションソフトウェア内で利用することもできる。
【００７９】
その他、静止画又は動画の画像データにＧＰＳ受信部３１４により取得した位置情報、マイクロホン３０６により取得した音声情報（主制御部等により、音声テキスト変換を行ってテキスト情報となっていてもよい）、モーションセンサ部３１５により取得した姿勢情報等を付加して記憶部３１２に記憶させたり、外部入出力部３１３や無線通信部３１０を通じて出力したりすることもできる。
【００８０】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。例えば、本構成においては、補助プリズムとダハプリズムからなるペシャンプリズムを用いたが、これに限らず、同等の機能を奏する光学素子を用いて構成してもよい。
【００８１】
以上の通り、本明細書には次の事項が開示されている。
（１）  被写体を光学的に観察する光学ファインダと、被写体像の画像情報を表示させた表示画像を観察する電子ビューファインダとが切り換え可能なファインダ装置であって、
被写体光を取り込む対物光学系と、
上記対物光学系から導入される上記被写体光を光出射面から出射する第１のプリズムと、
上記第１のプリズムの光出射面に光入射面を対峙させて配置される第２のプリズムと、
上記第１のプリズムの光出射面と上記第２のプリズムの光入射面との間に挿抜自在に配置される画像表示パネルと、
上記画像表示パネルを、上記第１のプリズムの光出射面と上記第２のプリズムの光入射面との間の光路内に挿入された第１の位置及び上記光路から外れた第２の位置のいずれかの位置に移動させる駆動部と、を備え、
上記画像表示パネルは、上記第１の位置において、上記第２のプリズムの光入射面に対峙して上記電子ビューファインダの表示画像を表示する表示部を備えるファインダ装置。
（２）  （１）のファインダ装置であって、
上記表示部の画像表示面とは反対側に配置され、上記第１のプリズムからの出射光を遮光する遮光部を備えるファインダ装置。
（３）  （２）のファインダ装置であって、
上記画像表示パネルは、上記表示部と上記遮光部とが一体となって上記駆動部により移動されるファインダ装置。
（４）  （１）乃至（３）のいずれか一つのファインダ装置であって、
上記駆動部は、互いに平行に配置された上記第１のプリズムの光出射面及び上記第２のプリズムの光入射面に対して、上記画像表示パネルを平行に移動させるスライド機構を有するファインダ装置。
（５）  （４）のファインダ装置であって、
上記駆動部は、上記画像表示パネルを上記対物光学系の光軸方向に対して垂直に移動させるファインダ装置。
（６）  （１）乃至（５）のいずれか一つのファインダ装置であって、
上記駆動部は、上記画像表示部を上記第１の位置で固定する固定機構を有するファインダ装置。
（７）  （１）乃至（６）のいずれか一つのファインダ装置であって、
上記第１のプリズムと上記第２のプリズムは、双方を組み合わせることで正立像が得られる正立プリズムとして機能するファインダ装置。
（８）  （１）乃至（７）のいずれか一つのファインダ装置であって、
上記表示部は、液晶表示素子を有して構成されるファインダ装置。
（９）  撮像レンズと、
上記撮像レンズにより結像される光学像を撮像する撮像素子と、
上記撮像素子から出力される画像情報を上記表示部に表示する上記（１）乃至（８）のいずれか一つのファインダ装置と、
を備える撮像装置。
（１０）  （９）の撮像装置であって、
上記駆動部は、画像表示パネルを上記第１の位置から上記第２の位置へ上記撮像装置の筐体底面に向けて移動させる撮像装置。
【産業上の利用可能性】
【００８２】
本発明に係るファインダ装置は、簡単な構成でＯＶＦとＥＶＦとを切り換え可能とし、しかもファインダを小型化できるため、デジタルカメラやカメラ付携帯電話機等に適用すると有用である。
【符号の説明】
【００８３】
１１  筐体
１９  ファインダ装置
２１  被写体側ファインダ窓
２３  撮影者側覗き窓
３１  固体撮像素子
４３  ＣＰＵ
５７  画像表示部（ＥＶＦ）
７７  対物レンズ
７９  補助プリズム
７９ａ  一側面（光出射面）
８１  ダハプリズム
８１ｄ  一側面（光入射面）
８３  ペシャンプリズム
８５  ファインダ切換機構
８７  接眼レンズ
８９  画像表示パネル
９１  液晶表示素子
９３  遮光部
９５  パネル枠部
９７  ガイド軸
９９  アーム部材
１００  デジタルカメラ（撮像装置）
１３３  遮光用光学素子
【図１】
2014062973.tif 000003
【図２】
2014062973.tif 000004
【図３】
2014062973.tif 000005
【図４】
2014062973.tif 000006
【図５】
2014062973.tif 000007
【図６】
2014062973.tif 000008
【図７】
2014062973.tif 000009
【図８】
2014062973.tif 000010
【図９】
2014062973.tif 000011
【図１０】
2014062973.tif 000012
【図１１】
2014062973.tif 000013
【図１２】
2014062973.tif 000014